(57)【要約】【課題】フィルタの種類や名称が読みやすく、フィルタの数や大きさが異なってもコンパクトに保護・収納することを可能とする。【解決手段】保護キャップ１０は、略円筒状体の内部に設けられた仕切り板１１と、略円筒状体の一端部に設けられた円筒状部分１２と、更に、この円筒状部分１２とは反対側に設けられているもう一つの円筒状部分１３とを備えている。円筒状部分１２の内周部には、取り付け雌ねじ（第１の係合部）１４が設けられている。また、円筒状部分１３の外周部には、取り付け雄ねじ（第２の係合部）１５が設けられている。同じ保護キャップ１０Ａ，１０Ｂを、フィルタ３０の前後に装着すれば、フィルタ３０の光学面を完全に保護することが可能である。【選択図】        図２
2004271559.tif 000002
【特許請求の範囲】
【請求項１】
レンズ本体に装着する雄ねじ部を有し、その雄ねじ部と反対側に雌ねじ部を有するカメラレンズ用フィルタを保護するフィルタ保護キャップであって、
内部に仕切り板を有する円筒状体と、
前記円筒状体の一端部に設けられ、前記フィルタの雄ねじ部と係合可能な第１の係合部と、
前記円筒状体の他端部に設けられ、前記フィルタの雌ねじ部と係合可能な第２の係合部と、
を備えたフィルタ保護キャップ。
【請求項２】
請求項１に記載のフィルタ保護キャップにおいて、
前記第１の係合部と前記第２の係合部とは、同じ径である
ことを特徴とするフィルタ保護キャップ。
【請求項３】
請求項１に記載のフィルタ保護キャップにおいて、
前記第１の係合部と前記第２の係合部とは、異なる径である
ことを特徴とするフィルタ保護キャップ。
【請求項４】
請求項１から請求項３までのいずれか１項に記載のフィルタ保護キャップにおいて、
前記第１の係合部及び／又は前記第２の係合部は、複数個設けられている
ことを特徴とするフィルタ保護キャップ。
【請求項５】
請求項１から請求項３までのいずれか１項に記載のフィルタ保護キャップにおいて、
前記第１の係合部は、前記フィルタの雄ねじ部と螺合する雌ねじ部であり、
前記第２の係合部と、前記フィルタの雌ねじ部と螺合する雄ねじ部である
ことを特徴とするフィルタ保護キャップ。
【発明の詳細な説明】
【０００１】
【発明の属する技術分野】
本発明は、カメラレンズ用フィルタに用いるフィルタ保護キャップに関するものである。
【０００２】
【従来の技術】
従来、カメラレンズ用フィルタを保管するには、プラスチック製のケース等が市販されており、例えば、「内周の一部に光学フィルターの外周固定部と係合する係合手段と、該光学フィルターの脱落防止用の爪部とを設けたフィルターキャップ、そして、内周部に該光学フィルターの外周に設けたネジ部と係合するネジ部と、該フィルターキャップの爪部と係合する周溝とを設けたフィルターリヤキャップとを有しているフィルターケース」が知られている（例えば、特許文献１）
【０００３】
【特許文献１】
特開平９−１５４７３号公報
【０００４】
【発明が解決しようとする課題】
しかし、上述した従来の技術では、基本的には、フィルタは、一つのケースには１個しか入らず、多種類のフィルタを持っている場合には、フィルタケースも多数必要になり、嵩張る傾向にあった。
また、フィルタは、その名称がフィルタ枠の外周面に表記してあるのが普通であり、従来のケースは、透明のケースに入っているものもあるが、その場合でも概して種類、名称の読みとり難いものであった。
【０００５】
本発明の課題は、フィルタの種類や名称が読みやすく、フィルタの数や大きさが異なってもコンパクトに保護・収納することはできるフィルタ保護キャップを提供することである。
【０００６】
【課題を解決するための手段】
前記課題を解決するために、請求項１の発明は、レンズ本体に装着する雄ねじ部を有し、その雄ねじ部と反対側に雌ねじ部を有するカメラレンズ用フィルタを保護するフィルタ保護キャップであって、内部に仕切り板を有する円筒状体と、前記円筒状体の一端部に設けられ、前記フィルタの雄ねじ部と係合可能な第１の係合部と、前記円筒状体の他端部に設けられ、前記フィルタの雌ねじ部と係合可能な第２の係合部と、を備えたフィルタ保護キャップである。
【０００７】
請求項２の発明は、請求項１に記載のフィルタ保護キャップにおいて、前記第１の係合部と前記第２の係合部とは、同じ径であることを特徴とするフィルタ保護キャップである。
【０００８】
請求項３の発明は、請求項１に記載のフィルタ保護キャップにおいて、前記第１の係合部と前記第２の係合部とは、異なる径であることを特徴とするフィルタ保護キャップである。
【０００９】
請求項４の発明は、請求項１から請求項３までのいずれか１項に記載のフィルタ保護キャップにおいて、前記第１の係合部及び／又は前記第２の係合部は、複数個設けられていることを特徴とするフィルタ保護キャップである。
【００１０】
請求項５の発明は、請求項１から請求項３までのいずれか１項に記載のフィルタ保護キャップにおいて、前記第１の係合部は、前記フィルタの雄ねじ部と螺合する雌ねじ部であり、前記第２の係合部と、前記フィルタの雌ねじ部と螺合する雄ねじ部であることを特徴とするフィルタ保護キャップである。
【００１１】
【発明の実施の形態】
以下、図面等を参照して、本発明の実施の形態について、さらに、詳しく説明する。
（第１実施形態）
図１は、本発明によるフィルタ保護キャップの第１実施形態を示す断面図である。
第１実施形態の保護キャップ１０は、金属又はプラスチック等により造られている。この保護キャップ１０は、略円筒状体の内部に設けられた仕切り板（底部分）１１と、略円筒状体の一端部に設けられた円筒状部分１２と、更に、この円筒状部分１２とは反対側に設けられているもう一つの円筒状部分１３とを備えている。
【００１２】
この円筒状部分１２の内周部には、取り付け雌ねじ（第１の係合部）１４が設けられている。この取り付け雌ねじ１４は、フィルタ３０のレンズ鏡筒（図示せず）に装着するための雄ねじ３１に螺合可能となっている。
また、円筒状部分１３の外周部には、取り付け雄ねじ（第２の係合部）１５が設けられている。これら前後の取り付け雌ねじ１４と取り付け雄ねじ１５とは、同じ径、同じピッチで設けられている。
【００１３】
図１の例では、保護キャップ１０は、フィルタ３０の後部（図中右側）のみの保護に使用する。このとき、フィルタ３０の前部（図中左側）は、このフィルタ３０の左方内周部に設けられている雌ねじ３２を使用して、公知のレンズキャップ（不図示）等を装着して保護すればよい。
【００１４】
図２は、第１実施形態によるフィルタ保護キャップ１０を２個用いて、フィルタ３０を挟んで前後に装着した例を示す断面図である。
この場合に、同じ保護キャップ１０Ａ，１０Ｂを、フィルタ３０の前後に装着すれば、フィルタ３０の光学面を完全に保護することが可能である。
なお、図１、図２の例では、共に、フィルタ３０の側面部分は、保護キャップ１０（１０Ａ，１０Ｂ）で覆われることがないので、フィルタの種類は容易に判別することが可能である。
【００１５】
図３は、第１実施形態によるフィルタ保護キャップ１０を２個用いて、２枚のフィルタ３０Ａ，３０Ｂを連結したものを挟んで、その前後に保護キャップ１０Ａ，１０Ｂを装着した例を示す断面図である。
このフィルタ３０Ａ，３０Ｂは、同じねじのサイズであれば、何枚でも連結可能である。このとき、何枚連結したとしても、フィルタの種類の判別が容易であり、また、好きなフィルタのみを、途中から取りはずすことも自由である。その場合でも、保護キャップは前後１個ずつでよい。
【００１６】
（第２実施形態）
図４は、本発明によるフィルタ保護キャップの第２実施形態を示す断面図である。
なお、前述した第１実施形態と同様な機能を果たす部分には、末尾に統一した符号を付して、重複する説明を適宜省略する。
第２実施形態の保護キャップ２０も、金属又はプラスチック等により造られている。この保護キャップ２０は、仕切り板２１と、円筒状部分２２と、更に、この円筒状部分２２ｂとは反対側に設けられているもう一つの円筒状部分２３とを備えている。
【００１７】
この円筒状部分２２の内周部には、取り付け雌ねじ２４が設けられている。この取り付けねじ２４は、フィルタ４０のレンズ鏡筒（図示せず）に装着するための雄ねじ４１に螺合可能となっており、図４からも判るように、フィルタ４０の後部（図中右側）の保護キャップとして使用する。
【００１８】
図４の場合には、フィルタ４０の前部（図中左側）には、このフィルタ４０の左方内周部に設けられている雌ねじ４２を使用して、公知のレンズキャップ（不図示）等を装着して保護する。
【００１９】
図５は、第２実施形態によるフィルタ保護キャップの他の使用方法を説明する図である。
第２実施形態の保護キャップ２０には、前述したように、この円筒状部分２２とは反対側に、もう一つの円筒状部分２３が設けられている。この円筒状部分２３は、円筒状部分２２よりも小径であり、その外周部には、取り付け雄ねじ２５が設けられている。
【００２０】
この前後の雌ねじ２４と雄ねじ２５とは、称呼のねじ径が異なるサイズが設けられており、例えば、サイズの異なるフィルタを連結するために用いる。
【００２１】
図５の場合には、第２実施形態の保護キャップ２０を用いて、小さなサイズのフィルタ３０と、大きいサイズのフィルタ４０とを、連結することができる。つまり、この保護キャップ２０は、大きいサイズのフィルタ４０には、後部の保護キャップとして使用し、小さなサイズのフィルタ３０には、前部の保護キャップとして使用する。
【００２２】
このとき、小さなサイズのフィルタ３０の後部（図中右側）は、第１実施形態の保護キャップ１０を使用する。また、大きいサイズのフィルタ４０の前部（図中左側）は、第１実施形態と同じ形態で、サイズの大きい保護キャップ１０Ｃを使用する。
【００２３】
このように、第２実施形態によれば、異なるサイズのフィルタ３０、４０を自由に連結又は取り外しすることが可能になる。
【００２４】
（変形形態）
以上説明した実施形態に限定されることなく、種々の変形や変更が可能であって、それらも本発明の均等の範囲内である。
（１）第１の係合部は、取り付け雌ねじ１４、第２の係合部は、取り付け雄ねじ１５の例で説明したが、他の係合手段、例えば、レンズキャップの係合手段のようなものを用いることもできる。
（２）第１及び第２の係合部は、それぞれ、１個づつの例で説明したが、図６に示すように同じ側に、異なる径のものを２つ以上設けるようにしてもよい。
この場合、大径側の筒状体の長さを小径側の筒状体の長さに対して適宜長くすれば複数のフィルタを同時に同じ側へ装着することも可能である。
（３）図５の場合にも、図３と同様にさらに、複数のフィルタ３０、４０を、連結して使用することができる。
【００２５】
なお、この発明による保護キャップは、金属でも、プラスチックでも同様の効果を上げることができる。
【００２６】
【発明の効果】
以上説明したように、本発明のフィルタ保護キャップは、フィルタの前後に装着すれば、フィルタの光学面を完全に保護することが可能である。
また、フィルタの側面部分は、保護キャップで覆われることがないので、フィルタの種類を、容易に判別することが可能である。
【００２７】
また、フィルタは、同じねじのサイズであれば何枚でも連結可能であり、何枚連結したとしても、フィルタの種類の判別が容易であり、好きなフィルタのみ途中から取り外すことも自由である。その場合でも、保護キャップは、前後１個ずつでよい。
【００２８】
さらに、サイズの異なるフィルタを連結するための、いわゆるステップアップリング的な形状の保護キャップを用いれば、種々のサイズのフィルタを自由に好きな場所から、連結又は取り外しが可能になる。
【図面の簡単な説明】
【図１】本発明によるフィルタ保護キャップの第１実施形態を示す断面図である。
【図２】第１実施形態によるフィルタ保護キャップ１０を２個用いて、フィルタ３０を挟んで前後に装着した例を示す断面図である。
【図３】第１実施形態によるフィルタ保護キャップ１０を２個用いて、２枚のフィルタ３０Ａ，３０Ｂを連結したものを挟んで、その前後に保護キャップ１０Ａ，１０Ｂを装着した例を示す断面図である。
【図４】本発明によるフィルタ保護キャップの第２実施形態を示す断面図である。
【図５】第２実施形態によるフィルタ保護キャップの他の使用方法（サイズの異なるフィルタを連結）を説明する図である。
【図６】本発明によるフィルタ保護キャップの変形形態を示す図である。
【符号の説明】
１０，２０  保護キャップ
１１，２１  仕切り板
１２，２２  円筒状部分
１３，２３  円筒状部分
１４，２４  取り付け雌ねじ
１５，２５  取り付け雄ねじ
３０，４０  フィルタ
３１，４１  雄ねじ
３２，４２  雌ねじ
【図１】
2004271559.tif 000003
【図２】
2004271559.tif 000004
【図３】
2004271559.tif 000005
【図４】
2004271559.tif 000006
【図５】
2004271559.tif 000007
【図６】
2004271559.tif 000008